(57)【要約】【課題】専用の消臭フィルタを用いることなく、ユーザを不快に感じさせる臭いを防臭することができると共に、無駄な防臭動作を行うことを効果的に防止することができるフィルタ装置及びそれを備えた画像形成装置を提供する。【解決手段】画像形成装置に備えられるフィルタ装置は、フィルタのフィルタ面を移動させるための移動装置と、移動装置にて移動されるフィルタに防臭剤を供給する供給装置と、供給装置にてフィルタに供給される防臭剤の供給量を調整する調整装置とを備え、画像形成装置にて画像形成される用紙の種類に応じて、調整装置による防臭剤の供給量及び／又は移動装置によるフィルタの移動量を制御する。【選択図】図４
2020032560.tif 000002
【特許請求の範囲】
【請求項１】
画像形成装置に備えられるフィルタ装置であって、
フィルタのフィルタ面を移動させるための移動装置と、
前記移動装置にて移動される前記フィルタに防臭剤を供給する供給装置と、
前記供給装置にて前記フィルタに供給される防臭剤の供給量を調整する調整装置と
を備え、
前記画像形成装置にて画像形成される用紙の種類に応じて、前記調整装置による前記防臭剤の供給量及び／又は前記移動装置による前記フィルタの移動量を制御することを特徴とするフィルタ装置。
【請求項２】
請求項１に記載のフィルタ装置であって、
前記調整装置は、前記供給装置を前記フィルタに接離させる接離装置であることを特徴とするフィルタ装置。
【請求項３】
請求項１又は請求項２に記載のフィルタ装置であって、
前記防臭剤を前記フィルタに部分的に供給する構成とされていることを特徴とするフィルタ装置。
【請求項４】
請求項１から請求項３までの何れか１つに記載のフィルタ装置であって、
前記供給装置には、前記防臭剤の種類及び／又は残量を確認するための確認部が設けられていることを特徴とするフィルタ装置。
【請求項５】
請求項１から請求項４までの何れか１つに記載のフィルタ装置であって、
前記供給装置は、フィルタ装置本体に着脱可能に設けられることを特徴とするフィルタ装置。
【請求項６】
請求項１から請求項５までの何れか１つに記載のフィルタ装置であって、
前記フィルタは、帯状のフィルタであり、
前記移動装置は、前記帯状のフィルタを上側又は下側で巻き取る巻き取り装置であることを特徴とするフィルタ装置。
【請求項７】
請求項１から請求項５までの何れか１つに記載のフィルタ装置であって、
前記フィルタは、ループ状のフィルタであり、
前記移動装置は、前記ループ状のフィルタを周回移動させる周回移動装置であることを特徴とするフィルタ装置。
【請求項８】
請求項１から請求項７までの何れか１つに記載のフィルタ装置と、前記用紙上に形成されたトナー像を前記用紙に加熱定着する定着装置と、排出ファンとを備え、
前記フィルタ装置は、前記定着装置の近傍に設けられており、前記排出ファンは、画像形成装置本体内の空気を、前記フィルタを介して外部に排出することを特徴とする画像形成装置。
【発明の詳細な説明】
【技術分野】
【０００１】
本発明は、複写機、複合機、プリンタ、ファクシミリ装置等の画像形成装置に備えられるフィルタ装置及びそれを備えた画像形成装置に関する。
【背景技術】
【０００２】
画像形成装置では、画像形成する際にユーザを不快に感じさせる臭い（以下、単に臭いということがある。）の元となる物質が生成される場合がある。かかる物質として、例えば、帯電により発生するオゾンや、光沢紙等の特殊紙への加熱により生成される物質を挙げることができる。ここで、光沢紙等の特殊紙は、表面にコーティング剤が塗布されている。このため、光沢紙等の特殊紙は、コーティング剤への加熱により画像形成を行う用紙Ｐが臭いの元となる物質を生成し易い。
【０００３】
このような臭いを軽減するためには、専用の消臭フィルタを用いることが考えられる。しかし、この場合、専用の消臭フィルタは、通常は、高密度フィルタであり、フィルタの目が細かく通気抵抗が大きい。このために、排気効率が低下し、ひいては機内温度が高くなるという課題がある。また、フィルタの寿命が短いといった課題もある。これに対し、特許文献１には、芳香フィルタを取り付けた画像形成装置が記載されている。
【先行技術文献】
【特許文献】
【０００４】
【特許文献１】特開平１−３１０３６５号公報
【特許文献２】特開２０１６−１８０８３１号公報
【特許文献３】特開平６−３１７９５０号公報
【発明の概要】
【発明が解決しようとする課題】
【０００５】
しかしながら、特許文献１に記載の画像形成装置では、画像形成動作中に、常時、防臭動作を行う。このため、オゾンのように画像形成動作中に必ず発生する物質の臭いに対しては有効である。しかし、光沢紙等の特殊紙以外の普通紙等の用紙に対して画像形成動作を行う場合であっても、常時、防臭動作を行っている。従って、無駄な防臭動作を行うことになる。ここで、普通紙等の用紙は、臭いの元となる物質を生成しない或いは殆ど生成しない。
【０００６】
この点に関し、特許文献２には、香り発生装置において輝散性薬剤を収容する容器本体の開口部を開閉機構により開閉する構成を開示している。しかし、特許文献２には、どういった条件で開口部を開閉するかについては何も示されていない。また、特許文献３には、ファンモータの実際の駆動電流が駆動電流の上限を超えると、巻取式のフィルタを巻き取る構成を開示している。しかし、特許文献３には、無駄な防臭動作を行わないようにすることついては何も示されていない。
【０００７】
そこで、本発明は、専用の消臭フィルタを用いることなく、ユーザを不快に感じさせる臭いを防臭することができると共に、無駄な防臭動作を行うことを効果的に防止することができるフィルタ装置及びそれを備えた画像形成装置を提供することを目的とする。
【課題を解決するための手段】
【０００８】
本発明は、前記課題を解決するために、次のフィルタ装置及び画像形成装置を提供する。
【０００９】
（１）フィルタ装置
本発明に係るフィルタ装置は、画像形成装置に備えられるフィルタ装置であって、フィルタのフィルタ面を移動させるための移動装置と、前記移動装置にて移動される前記フィルタに防臭剤を供給する供給装置と、前記供給装置にて前記フィルタに供給される防臭剤の供給量を調整する調整装置とを備え、前記画像形成装置にて画像形成される用紙の種類に応じて、前記調整装置による前記防臭剤の供給量及び／又は前記移動装置による前記フィルタの移動量を制御することを特徴とする。
【００１０】
（２）画像形成装置
前記本発明に係るフィルタ装置と、前記用紙上に形成されたトナー像を前記用紙に加熱定着する定着装置と、排出ファンとを備え、前記フィルタ装置は、前記定着装置の近傍に設けられており、前記排出ファンは、画像形成装置本体内の空気を、前記フィルタを介して外部に排出することを特徴とする。
【発明の効果】
【００１１】
本発明によると、専用の消臭フィルタを用いることなく、ユーザを不快に感じさせる臭いを防臭することができると共に、無駄な防臭動作を行うことを効果的に防止することが可能となる。
【図面の簡単な説明】
【００１２】
【図１】本実施の形態に係るフィルタ装置を備えた画像形成装置を斜め上方から視た概略斜視図である。
【図２】図１に示す画像形成装置を正面より視た概略断面図である。
【図３】画像形成装置における制御部のシステム構成を示すブロック図である。
【図４】第１実施形態に係るフィルタ装置を示す概略断面図である。
【図５】第２実施形態に係るフィルタ装置を示す概略断面図である。
【図６】第１実施形態に係るフィルタ装置において、供給装置がフィルタ装置本体に着脱可能に設けられる状態を示す概略断面図である。
【図７】第２実施形態に係るフィルタ装置において、供給装置がフィルタ装置本体に着脱可能に設けられる状態を示す概略断面図である。
【図８】第１実施形態に係るフィルタ装置の他の例を示す概略断面図である。
【図９】第２実施形態に係るフィルタ装置の他の例を示す概略断面図である。
【図１０】フィルタ装置による防臭動作の制御例を示すフローチャートである。
【図１１】第３実施形態に係るフィルタ装置においてフィルタに防臭剤を間欠的に塗布する例を側面から視た模式図である。
【図１２】第３実施形態に係るフィルタ装置において供給部の幅方向のサイズを防臭領域のサイズよりも短くした例を側面から視た模式図である。
【図１３】第３実施形態に係るフィルタ装置において供給部を幅方向に所定間隔をおいて複数に分割した例を側面から視た模式図である。
【発明を実施するための形態】
【００１３】
以下、本発明に係る実施の形態について図面を参照しながら説明する。以下の説明では、同一の部品には同一の符号を付してある。それらの名称及び機能も同じである。従って、それらについての詳細な説明は繰り返さない。
【００１４】
［画像形成装置］
図１は、本実施の形態に係るフィルタ装置２００を備えた画像形成装置１００を斜め上方から視た概略斜視図である。図２は、図１に示す画像形成装置１００を正面より視た概略断面図である。図３は、画像形成装置１００における制御部１３０のシステム構成を示すブロック図である。本実施の形態に係る画像形成装置１００は、用紙Ｐに対して多色及び単色の画像を形成するカラー画像形成装置である。画像形成装置１００は、原稿読取装置１０８により読み取られた画像データ、又は、外部から伝達された画像データに応じて、画像形成処理を行う。なお、画像形成装置１００は、他の形態のカラー画像形成装置であってもよい。また、画像形成装置１００は、モノクロ画像形成装置であってもよい。
【００１５】
画像形成装置１００は、原稿読取装置１０８と、画像形成装置本体１１０とを備えている。画像形成装置本体１１０には、画像形成部１０２と用紙搬送系１０３とが設けられている。
【００１６】
画像形成部１０２は、露光ユニット１、複数の現像ユニット２〜２、静電潜像担持体として作用する複数の感光体ドラム３〜３、複数のクリーニング部４〜４、複数の帯電装置５〜５、中間転写ベルト装置６、複数のトナーカートリッジユニット２１〜２１及び定着ユニット７（定着装置の一例）を備えている。また、用紙搬送系１０３は、複数の給紙トレイ８１ａ，８１ｂ、手差し給紙トレイ８２、排出ローラ３１及び排出トレイ１４を備えている。中間転写ベルト装置６は、中間転写ローラ６５〜６５及び中間転写ベルト６１を備えている。中間転写ローラ６５〜６５は、中間転写ベルト６１の内側に設けられている。中間転写ベルト６１は、所定の周回移動方向Ｒに周回移動する。中間転写ローラ６５〜６５は、感光体ドラム３〜３の表面に形成された各色のトナー像を中間転写ベルト６１の周回移動に伴い従動回転しつつ中間転写ベルト６１に転写する。
【００１７】
画像形成装置本体１１０の上部には、図示しない原稿の画像を読み取るための光学ユニット９０が設けられている。光学ユニット９０は、原稿が載置される原稿載置台９２を備えている。原稿載置台９２は、透明ガラスからなっている。また、原稿載置台９２の上側には原稿読取装置１０８が設けられている。原稿読取装置１０８で読み取られた原稿の画像は、画像データとして画像形成装置本体１１０に送られ、用紙Ｐ上に画像が記録される。
【００１８】
画像形成装置本体１１０には用紙搬送路Ｗ１が設けられている。給紙トレイ８１ａ，８１ｂ又は手差し給紙トレイ８２は、用紙Ｐを用紙搬送路Ｗ１に供給する。用紙搬送路Ｗ１は、用紙Ｐを転写ローラ１０及び定着ユニット７を経て排出トレイ１４に導く。定着ユニット７は、用紙Ｐ上に形成されたトナー像を用紙Ｐに加熱定着する。用紙搬送路Ｗ１の近傍には、ピックアップローラ１１ａ，１１ｂ、複数の搬送ローラ１２ａ〜１２ａ、レジストローラ１３、転写ローラ１０、定着ユニット７におけるヒートローラ７１及び加圧ローラ７２、排出ローラ３１が配設されている。
【００１９】
画像形成装置１００では、給紙トレイ８１ａ，８１ｂ又は手差し給紙トレイ８２にて供給された用紙Ｐは搬送ローラ１２ａ〜１２ａを経てレジストローラ１３まで搬送される。次に、用紙Ｐはレジストローラ１３により用紙Ｐと中間転写ベルト６１上のトナー像とを整合するタイミングで転写ローラ１０に搬送され、転写ローラ１０によりトナー像が用紙Ｐ上に転写される。その後、用紙Ｐは定着ユニット７におけるヒートローラ７１及び加圧ローラ７２に通過し、搬送ローラ１２ａ及び排出ローラ３１を経て排出トレイ１４上に排出される。用紙Ｐの表面だけでなく、裏面に画像形成を行う場合は、用紙Ｐは排出ローラ３１から反転用紙搬送路Ｗ２へ逆方向に搬送される。用紙Ｐは反転搬送ローラ１２ｂ〜１２ｂを経て用紙Ｐの表裏を反転してレジストローラ１３へ再度導かれる。そして、用紙Ｐは、表面と同様にして、裏面にトナー像が形成されて定着された後、排出トレイ１４へ向けて排出される。
【００２０】
［フィルタ装置］
画像形成装置１００は、制御部１３０と、フィルタ装置２００と、排出ファン３００と、ダクト４００とをさらに備えている。制御部１３０は、処理部１３１と、記憶部１３２とを有している。処理部１３１は、ＣＰＵ等のマイクロコンピュータからなる。記憶部１３２は、ＲＯＭ等の不揮発性メモリ、ＲＡＭ等の揮発性メモリを含む。なお、制御部１３０は、フィルタ装置２００に備えられていてもよい。フィルタ装置２００は、定着ユニット７の近傍（この例では上方）に設けられている。排出ファン３００は、画像形成装置本体１１０内の空気を、フィルタ２０１（後述する図４及び図５）を介して外部に排出する。排出ファン３００は、制御部１３０の出力系に電気的に接続されている。排出ファン３００は、制御部１３０からの指示信号により回転制御される。ダクト４００は、排出ファン３００から送風される空気をフィルタ装置２００に向けて案内する。制御部１３０は、画像形成動作時、少なくとも防臭動作時に排出ファン３００を動作させる。なお、操作部１４０、駆動モータ２１３、昇降部２３２等については後述する。
【００２１】
図４は、第１実施形態に係るフィルタ装置２００ａ（２００）を示す概略断面図である。図５は、第２実施形態に係るフィルタ装置２００ｂ（２００）を示す概略断面図である。図４及び図５に示すように、フィルタ装置２００は、移動装置２１０と、供給装置２２０と、調整装置２３０とを備えている。移動装置２１０は、フィルタ２０１のフィルタ面２０１ａを移動させる。詳しくは、移動装置２１０は、フィルタ２０１のフィルタ面２０１ａが鉛直方向Ｖ又は略鉛直方向Ｖに沿った状態でフィルタ２０１を鉛直方向Ｖ又は略鉛直方向Ｖに移動させる。供給装置２２０は、移動装置２１０にて移動されるフィルタ２０１に防臭剤Ｎを供給する。ここで、防臭剤Ｎとしては、液状の防臭剤、代表的には、液状の消臭剤及び／又は液状の芳香剤を例示できる。液状の消臭剤や液状の芳香剤は、特に限定されるものではなく、従来公知のものを用いることができる。調整装置２３０は、供給装置２２０にてフィルタ２０１に供給される防臭剤Ｎの供給量を調整する。
【００２２】
そして、制御部１３０は、画像形成装置１００にて画像形成される用紙Ｐの種類に応じて、調整装置２３０による防臭剤Ｎの供給量及び／又は移動装置２１０によるフィルタ２０１の移動量を制御する。詳しくは、制御部１３０は、画像形成装置１００にて画像形成される用紙Ｐの種類に応じて、調整装置２３０による防臭剤Ｎの供給量及び／又は移動装置２１０によるフィルタ２０１の移動量を調整して防臭動作を制御する。
【００２３】
本実施の形態によれば、フィルタ２０１に防臭剤Ｎ（液状の防臭剤）を供給することで、フィルタ２０１に防臭剤Ｎを含ませる（浸み込ませる）ことができる。これにより、臭いの元となる物質をフィルタ２０１に含んだ防臭剤Ｎに吸い付けることができる。フィルタ２０１として、例えば、汎用のフィルタを用いることができる。ここで、汎用のフィルタは、例えば、専用の消臭フィルタよりも目の粗いフィルタである。そして、汎用のフィルタ２０１に防臭剤Ｎに含ませる（浸み込ませる）。これにより、汎用のフィルタ２０１の防臭効果を機内温度の上昇を抑えた状態で向上させることができる。また、防臭剤Ｎが消臭剤や芳香剤である場合、ユーザを不快に感じさる臭いが発生しても、消臭剤の消臭効果や芳香剤の香りによりユーザを不快に感じさせないようにすることができる。しかも、制御部１３０は、画像形成装置１００にて画像形成される用紙Ｐの種類に応じて、調整装置２３０による防臭剤Ｎの供給量及び／又は移動装置２１０によるフィルタ２０１の移動量を制御する。そうすると、制御部１３０は、画像形成装置１００にて画像形成される用紙Ｐに対して必要に応じて防臭動作を行うことができる。例えば、制御部１３０は、光沢紙等の特殊紙の場合には、防臭動作を行う。一方、制御部１３０は、光沢紙等の特殊紙以外の普通紙等の用紙の場合には、防臭動作を行わない。これにより、無駄な防臭動作を行うことを効果的に防止することができる。
【００２４】
ところで、特許文献３に記載のフィルタ装置は、フィルタのフィルタ面が鉛直方向又は略鉛直方向に沿った状態でフィルタを水平方向に移動させるようになっている。この場合、防臭剤が重力で落下してフィルタの移動方向とは直交する方向に沿った下方に移行する。そうすると、防臭剤を鉛直方向で均一に供給することが困難となり、フィルタによる防臭効果の低下を招く。
【００２５】
この点、本実施形態では、移動装置２１０は、フィルタ２０１のフィルタ面２０１ａが鉛直方向Ｖ又は略鉛直方向Ｖに沿った状態でフィルタ２０１を鉛直方向Ｖ又は略鉛直方向Ｖに移動させるようになっている。こうすることで、防臭剤Ｎが重力で落下してもフィルタ２０１の移動方向Ｍに沿った下方に移行することになる。これにより、防臭剤Ｎを鉛直方向Ｖで均一に供給することができ、それだけフィルタ２０１による防臭効果を向上させることができる。
【００２６】
（第１実施形態）
図４に示す第１実施形態に係るフィルタ装置２００ａにおいて、フィルタ２０１は、帯状のフィルタである。移動装置２１０は、帯状のフィルタ２０１を上側又は下側（この例では上側）で巻き取る巻き取り装置２１０ａである。こうすることで、巻き取り装置２１０ａは、ダクト４００の排出側の防臭領域αで防臭効果が低下したフィルタ２０１を巻き取ることができる。これにより、フィルタ２０１を長期に亘り使用することができる。
【００２７】
詳しくは、ダクト４００は、排出口の移動方向Ｍに直交する幅方向Ｈ（回転軸線方向）の通気サイズが防臭領域αのサイズよりも大きい。フィルタ２０１は、幅方向Ｈにおけるサイズが用紙Ｐの最大サイズと等しいか大きい。巻き取り装置２１０ａは、フィルタ２０１を繰り出す繰り出し部２１１と、フィルタ２０１を巻き取る巻き取り部２１２と、巻き取り部２１２を駆動する駆動モータ２１３とを備えている。
【００２８】
繰り出し部２１１には、第１から第３繰り出しローラ２１１ａ〜２１１ｃが設けられている。第１繰り出しローラ２１１ａは、未使用のフィルタ２０１が巻かれている。第１繰り出しローラ２１１ａは、フィルタ装置本体２０２の回転軸Ｑ１に着脱可能に且つ回転自在に設けられる。第２及び第３繰り出しローラ２１１ｂ，２１１ｃは、未使用のフィルタ２０１が巻き回される。第１から第３繰り出しローラ２１１ａ〜２１１ｃは筐体２１１ｄに収納されている。
【００２９】
巻き取り部２１２には、第１から第３巻き取りローラ２１２ａ〜２１２ｃが設けられている。第１巻き取りローラ２１２ａは、使用済みのフィルタ２０１を巻き取る。第１巻き取りローラ２１２ａは、駆動モータ２１３により回転駆動される回転軸Ｑ２に着脱可能に固定される。第２及び第３巻き取りローラ２１２ｂ，２１２ｃは、使用済みのフィルタ２０１が巻き回される。第１から第３巻き取りローラ２１２ａ〜２１２ｃは筐体２１２ｄに収納されている。使用済みのフィルタ２０１は、第１巻き取りローラ２１２ａに全て巻き取られると交換される。筐体２１１ｄ，２１２ｄは、それぞれ、ダクト４００の下面及び上面に装着されている。駆動モータ２１３は、制御部１３０の出力系に電気的に接続されている（図３参照）。駆動モータ２１３は、制御部１３０からの指示信号により回転軸Ｑ２を回転駆動してフィルタ２０１を所定の移動方向Ｍ（この例では上方向）に移動させる。これにより、制御部１３０は、フィルタ２０１の移動速度を調整することができる。
【００３０】
巻き取り装置２１０ａは、画像形成装置本体１１０の外装カバー１０１（図１及び図４参照）に覆われている。外装カバー１０１の防臭領域αにはルーバー１０１ａが設けられている。
【００３１】
供給装置２２０ａ（２２０）（具体的には供給ユニット）は、収容ケース２２１と、供給部２２２とを備えている。収容ケース２２１は、防臭剤Ｎを収容する。供給部２２２は、収容ケース２２１内に収容される防臭剤Ｎをフィルタ２０１に供給（塗布）する。供給部２２２は、幅方向Ｈにおけるサイズがフィルタ２０１のサイズよりも大きい。収容ケース２２１の上面には開口２２１ａが設けられている。供給部２２２は、シート状のもの（具体的には塗布シート）であり、不織布（フェルト）で構成されている。供給装置２２０ａは、繰り出し部２１１に設けられている。供給部２２２の下端部２２２ａは、防臭剤Ｎに浸される。供給部２２２の上端部２２２ｂは、収容ケース２２１における開口２２１ａから外側に出ている。供給部２２２の上端部２２２ｂは、第３繰り出しローラ２１１ｃに巻き掛けられたフィルタ２０１と対向する。収容ケース２２１の上面には、保持片２２１ｈが設けられている。保持片２２１ｈは、供給部２２２の上端部２２２ｂのフィルタ２０１とは反対側を保持する。これにより、供給部２２２は、防臭剤Ｎをフィルタ２０１に確実に塗布することができる。
【００３２】
なお、この例では、供給部２２２の上端部２２２ｂは、第３繰り出しローラ２１１ｃに巻き掛けられたフィルタ２０１に対向するようになっている。しかし、それに限定されず、供給部２２２の上端部２２２ｂは、第１繰り出しローラ２１１ａや第２繰り出しローラ２１１ｂに巻き掛けられたフィルタ２０１に対向するようになっていてもよい。また、この例では、供給部２２２は、防臭剤Ｎをフィルタ２０１に下側から塗布するようになっているが、横側や上側から塗布するようになっていてもよい。また、この例では、供給装置２２０ａは、フィルタ２０１を防臭領域αに向けて下側から上側に繰り出すようになっている。しかし、それに限定されず、供給装置２２０ａは、フィルタ２０１を防臭領域αに上側から下側に繰り出すようになっていてもよい。この場合、供給部２２２は、防臭剤Ｎを下側、上側や横側から塗布することができる。また、供給部２２２は、防臭剤Ｎを上側から塗布する場合、防臭剤Ｎを収容する防臭剤タンクから滴下するようになっていてもよい。
【００３３】
以上説明したフィルタ装置２００ａでは、機内の臭いを防臭するときに、移動装置２１０により未使用のフィルタ２０１を繰り出す。そして、排出ファン３００（図２参照）からの空気ＡＲをフィルタ２０１に通過させ、外装カバー１０１におけるルーバー１０１ａを介して外部に排出する。こうして、フィルタ２０１により機内の臭いを防臭する。
【００３４】
（第２実施形態）
図５に示す第２実施形態に係るフィルタ装置２００ｂにおいて、フィルタ２０１は、ループ状（環状）のフィルタである。移動装置２１０は、ループ状のフィルタ２０１を周回移動させる周回移動装置２１０ｂである。こうすることで、周回移動装置２１０ｂは、ダクト４００の排出側の防臭領域αで防臭効果が低下したフィルタ２０１を周回移動させることができる。これにより、フィルタ２０１を長期に亘り使用することができる。
【００３５】
詳しくは、ダクト４００は、幅方向Ｈの通気サイズが防臭領域αのサイズよりも大きい。ループ状のフィルタ２０１は、幅方向Ｈにおけるサイズが用紙Ｐの最大サイズと等しいか大きい。周回移動装置２１０ｂは、ループ状のフィルタ２０１が巻き掛けられる第１及び第２巻き掛け部２１４，２１５と、第２巻き掛け部２１５を駆動する駆動モータ２１３とを備えている。
【００３６】
第１巻き掛け部２１４には、第１巻き掛けローラ２１４ａが設けられている。第１巻き掛けローラ２１４ａは、ループ状のフィルタ２０１の下側を巻き掛けている。第１巻き掛けローラ２１４ａは、フィルタ装置本体２０２の回転軸Ｑ３に着脱可能に且つ回転自在に設けられる。第１巻き掛けローラ２１４ａは筐体２１４ｂに収納されている。
【００３７】
第２巻き掛け部２１５には、第２巻き掛けローラ２１５ａが設けられている。第２巻き掛けローラ２１５ａは、ループ状のフィルタ２０１の上側を巻き掛けている。第２巻き掛けローラ２１５ａは、駆動モータ２１３により回転駆動される回転軸Ｑ４に着脱可能に固定される。第２巻き掛けローラ２１４ａは筐体２１５ｂに収納されている。フィルタ２０１は、交換時期が到来すると交換される。筐体２１４ｂ，２１５ｂは、それぞれ、ダクト４００の下面及び上面に装着されている。駆動モータ２１３は、制御部１３０からの指示信号により回転軸Ｑ４を回転駆動してフィルタ２０１を所定の移動方向Ｍ（この例では反時計回り）に移動（周回移動）させる。これにより、制御部１３０は、フィルタ２０１の移動速度を調整することができる。
【００３８】
周回移動装置２１０ｂは、画像形成装置本体１１０の外装カバー１０１に覆われている。外装カバー１０１の防臭領域αにはルーバー１０１ａが設けられている。
【００３９】
供給装置２２０ｂ（２２０）（具体的には供給ユニット）は、収容ケース２２３と、供給部２２４と、クリーニングローラ２２５とを備えている。収容ケース２２３は、防臭剤Ｎを収容する。供給部２２４は、収容ケース２２３内に収容される防臭剤Ｎをフィルタ２０１に供給（塗布）する。供給部２２４は、幅方向Ｈにおけるサイズがフィルタ２０１のサイズよりも大きい。収容ケース２２３の上面には開口２２３ａが設けられている。供給部２２４は、ローラ状のもの（具体的には塗布ローラ）であり、不織布（フェルト）で構成されている。供給装置２２０ｂは、フィルタ２０１の移動方向Ｍにおいて防臭領域αよりも上流側の第１巻き掛け部２１４に設けられている。供給部２２４の下部２２４ａは、防臭剤Ｎに浸される。供給部２２４の上部２２４ｂは、収容ケース２２３における開口２２３ａから外側に出ている。供給部２２４の上部２２４ｂは、第１巻き掛けローラ２１４ａに巻き掛けられたフィルタ２０１と対向する。これにより、供給部２２４は、防臭剤Ｎをフィルタ２０１に確実に塗布することができる。クリーニングローラ２２５は、ループ状のフィルタ２０１を清掃するものである。クリーニングローラ２２５は、第１巻き掛けローラ２１４ａに巻き掛けられたフィルタ２０１に当接されている。クリーニングローラ２２５は、フィルタ２０１の周回移動と共に従動回転する。
【００４０】
なお、この例では、供給部２２４は、防臭剤Ｎをフィルタ２０１に下側から塗布するようになっている。しかし、それに限定されず、供給部２２４は、横側から塗布するようになっていてもよい。また、この例では、供給装置２２０ｂは、フィルタ２０１を防臭領域αに向けて下側から上側に周回移動ようになっている。しかし、それに限定されず、供給装置２２０ｂは、フィルタ２０１を防臭領域αに向けて上側から下側に周回移動ようになっていてもよい。この場合、供給部２２４は、防臭剤Ｎを上側や横側から塗布することができる。また、供給部２２４は、防臭剤Ｎを上側から塗布する場合、防臭剤Ｎを収容する防臭剤タンクから滴下するようになっていてもよい。
【００４１】
以上説明したフィルタ装置２００ｂでは、機内の臭いを防臭するときには、周回移動装置２１０ｂによりフィルタ２０１を周回させる。そして、排出ファン３００（図２参照）からの空気ＡＲをフィルタ２０１に通過させ、外装カバー１０１におけるルーバー１０１ａを介して外部に排出する。こうして、フィルタ２０１により機内の臭いを防臭する。しかも、フィルタ２０１がループ状のものであるので、防臭が必要な用紙Ｐ（特殊紙）を画像形成する前に、例えば、フィルタ２０１を複数回（例えば２、３回）周回させる。こうすることで、防臭剤Ｎをフィルタ２０１に確実に含ませる（浸み込ませる）ことができ、それだけ防臭効果を向上させることができる。
【００４２】
（第１実施形態及び第２実施形態）
第１実施形態及び第２実施形態に係るフィルタ装置２００ａ，２００ｂにおいて、調整装置２３０は、供給装置２２０をフィルタ２０１に接離させる接離装置２３０ａである。こうすることで、防臭剤Ｎの供給量を調整する調整装置２３０を簡単な構成で実現させることができる。例えば、防臭剤Ｎのフィルタ２０１への供給量を供給装置２２０における供給部２２２，２２４のフィルタ２０１への圧接力によって調整することができる。すなわち、供給装置２２０における供給部２２２，２２４のフィルタ２０１への圧接力が大きい程、防臭剤Ｎのフィルタ２０１への供給量を多くすることができる。一方、供給装置２２０のフィルタ２０１への圧接力が小さい程、防臭剤Ｎのフィルタ２０１への供給量を少なくすることができる。また、供給装置２２０における供給部２２２，２２４がフィルタ２０１から離間したときに防臭剤Ｎをフィルタ２０１へ供給しないようにすることができる。
【００４３】
詳しくは、接離装置２３０ａは、載置部２３１と、昇降部２３２とを備えている。載置部２３１は、供給装置２２０を載置する。昇降部２３２は、載置部２３１を上下方向に昇降する。載置部２３１は、上下方向（鉛直方向Ｖ）に移動自在に筐体２１１ｄ，２１４ｂに設けられている。昇降部２３２は、制御部１３０の出力系に電気的に接続されている（図３参照）。昇降部２３２は、制御部１３０からの指示信号により載置部２３１を上下方向に昇降駆動する。これにより、接離装置２３０ａは、載置部２３１に載置された供給装置２２０を上下方向に移動させることができる。従って、接離装置２３０ａは、供給装置２２０における供給部２２２，２２４のフィルタ２０１への圧接力を調整することができ、ひいては防臭剤Ｎのフィルタ２０１への塗布量（供給量）を調整ことができる。ここで、防臭剤Ｎのフィルタ２０１への塗布量（供給量）の調整とは、防臭剤Ｎをフィルタ２０１に塗布しない場合も含む概念である。
【００４４】
図６及び図７は、それぞれ、第１実施形態及び第２実施形態に係るフィルタ装置２００ａ，２００ｂにおいて、供給装置２２０がフィルタ装置本体２０２に着脱可能に設けられる状態を示す概略断面図である。図６及び図７に示すように、供給装置２２０は、フィルタ装置本体２０２に着脱可能に設けられる。こうすることで、供給装置２２０に防臭剤Ｎを補給し易くすることができる。しかも、供給装置２２０のメンテナンス性を向上させることができる。
【００４５】
詳しくは、フィルタ装置２００ａ，２００ｂは、水平方向に着脱自在とされている。フィルタ装置２００ａ，２００ｂは、フィルタ装置本体２０２に装着された状態で接離装置２３０ａにおける載置部２３１に載置される。このとき、載置部２３１は下降している。
【００４６】
図８は、第１実施形態に係るフィルタ装置２００ａの他の例を示す概略断面図である。図９は、第２実施形態に係るフィルタ装置２００ｂの他の例を示す概略断面図である。図８に示すように、第１実施形態に係るフィルタ装置２００ａは、シート状の供給部２２２に代えてローラ状の供給部２２４を設けた構成とされていてもよい。また、図９に示すように、第２実施形態に係るフィルタ装置２００ｂは、ローラ状の供給部２２４に代えてシート状の供給部２２２を設けた構成とされていてもよい。
【００４７】
また、第１実施形態及び第２実施形態に係るフィルタ装置２００ａ，２００ｂは、図示を省略したが、防臭剤Ｎを含浸させた含浸ローラを備えた供給装置２２０を設けた構成のものであってもよい。含浸ローラとしては、多孔質体、発泡体（スポンジ）に防臭剤Ｎを含有させた（浸み込ませた）ものを例示できる。
【００４８】
（第１実施形態及び第２実施形態の制御例）
この例では、上段の給紙トレイ８１ａには、用紙Ｐとして普通紙が収容されている。下段の給紙トレイ８１ｂには、用紙Ｐとして表面にコーティング剤が塗布された特殊紙が収容されている。記憶部１３２には、第１フラグＦＬ１及び第２フラグＦＬ２が予め記憶されている（図３参照）。第１フラグＦＬ１は、上段の給紙トレイ８１ａに収容されている用紙Ｐが普通紙であることを示す識別子である。第２フラグＦＬ２は、下段の給紙トレイ８１ｂに収容されている用紙Ｐが特殊紙であることを示す識別子である。制御部１３０は、記憶部１３２を参照する。これにより、制御部１３０は、給紙トレイ８１ａ，８１ｂに収容されている用紙Ｐの種類を認識することができる。画像形成装置１００の上部前面には操作部１４０（図１参照）が設けられている。操作部１４０は、制御部１３０の入力系に電気的に接続されている（図３参照）。操作部１４０は、給紙トレイ８１ａ，８１ｂの何れか（つまり普通紙又は特殊紙）を選択可能に使用者による入力操作を受け付けるようになっている。操作部１４０は、使用者により選択された用紙Ｐの種類（普通紙又は特殊紙）を示す信号を制御部１３０に送信する。これにより、制御部１３０は、使用者により選択された用紙Ｐの種類を認識することができる。
【００４９】
図１０は、フィルタ装置２００ａ，２００ｂによる防臭動作の制御例を示すフローチャートである。図１０に示す制御例では、制御部１３０は、画像形成動作を開始すると、先ず、排出ファン３００を作動させる（Ｓ１）。次に、制御部１３０は、使用者により選択された用紙Ｐの種類が特殊紙である場合には（Ｓ２：Ｙｅｓ）、接離装置２３０ａにより供給部２２２，２２４をフィルタ２０１へ圧接させる（Ｓ３）。次に、制御部１３０は、移動装置２１０によりフィルタ２０１を所定の移動方向Ｍに所定の一定速度で所定距離だけ移動させる（Ｓ４）。次に、制御部１３０は、防臭剤Ｎが浸み込んだフィルタ２０１を防臭領域αで停止させ（Ｓ５）、Ｓ９に移行する。一方、制御部１３０は、使用者により選択された用紙Ｐの種類が普通紙である場合には（Ｓ２：Ｎｏ）、接離装置２３０ａにより供給部２２２，２２４をフィルタ２０１から離間させる（Ｓ６）。次に、制御部１３０は、移動装置２１０によりフィルタ２０１を所定の移動方向Ｍに所定の一定速度で所定距離だけ移動させる（Ｓ７）。次に、制御部１３０は、防臭剤Ｎが浸み込んでいないフィルタ２０１を防臭領域αで停止させ（Ｓ８）、Ｓ９に移行する。そして、制御部１３０は、画像形成動作が終了するまで待機する（Ｓ９：Ｎｏ）。制御部１３０は、画像形成動作が終了すると（Ｓ９：Ｙｅｓ）、接離装置２３０ａにより供給部２２２，２２４をフィルタ２０１から離間させる（Ｓ１０）。そして、制御部１３０は、排出ファン３００を停止させ（Ｓ１１）、制御動作を終了する。
【００５０】
（第３実施形態）
ところで、防臭剤Ｎの粘性等の性状によっては、フィルタ２０１に含んだ（浸み込んだ）防臭剤Ｎがフィルタ２０１の目を詰まらせてしまうことがある。そうすると、排気効率が低下し、ひいては機内温度が高くなる。
【００５１】
この点、第３実施形態に係るフィルタ装置２００ｃ（２００）は、図１１から図１３に示す構成とすることができる。
【００５２】
図１１から図１３に示すように、第３実施形態に係るフィルタ装置２００ｃ（２００）は、第１実施形態及び第２実施形態に係るフィルタ装置２００ａ，２００ｂ（２００）において、防臭剤Ｎをフィルタ２０１に部分的に供給する構成とされている。こうすることで、防臭剤Ｎの粘性等の性状によって、たとえフィルタ２０１に含んだ（浸み込んだ）防臭剤Ｎがフィルタの目を詰まらせたとしても、フィルタ２０１の防臭剤Ｎを供給しない部分において、空気ＡＲを流通させることができる。従って、排気効率を向上させることができ、ひいては機内温度を低く抑えることができる。
【００５３】
図１１は、第３実施形態に係るフィルタ装置２００ｃにおいてフィルタ２０１に防臭剤Ｎを間欠的に塗布する例を側面から視た模式図である。図１１（ａ）は、第１実施形態の塗布例を示す図である。図１１（ｂ）は、第２実施形態の塗布例を示す図である。フィルタ装置２００ｃは、第１及び第２実施形態に係るフィルタ装置２００ａ，２００ｂにおいて、制御部１３０は、昇降部２３２（図４、図５参照）を間欠的に（所定時間毎に）昇降する。これにより、防臭剤Ｎをフィルタ２０１に幅方向Ｈで連続的に且つ鉛直方向Ｖで所定間隔をおいて所定幅の複数の横筋状に塗布することができる。
【００５４】
図１２は、第３実施形態に係るフィルタ装置２００ｃにおいて供給部２２２，２２４の幅方向Ｈのサイズを防臭領域αのサイズよりも短くした例を側面から視た模式図である。図１２（ａ）は、第１実施形態の塗布例を示す図である。図１２（ｂ）は、第２実施形態の塗布例を示す図である。フィルタ装置２００ｃは、第１及び第２実施形態に係るフィルタ装置２００ａ，２００ｂにおいて、供給部２２２，２２４の幅方向Ｈのサイズが防臭領域αのサイズよりも短く（この例では半分程度）なっている。これにより、防臭剤Ｎをフィルタ２０１に幅方向Ｈにおいて防臭領域αのサイズよりも短い所定幅の縦筋状に塗布することができる。
【００５５】
図１３は、第３実施形態に係るフィルタ装置２００ｃにおいて供給部２２２，２２４を幅方向Ｈに所定間隔をおいて複数に分割した例を側面から視た模式図である。図１３（ａ）は、第１実施形態の塗布例を示す図である。図１３（ｂ）は、第２実施形態の塗布例を示す図である。フィルタ装置２００ｃは、第１及び第２実施形態に係るフィルタ装置２００ａ，２００ｂにおいて、供給部２２２，２２４が幅方向Ｈに所定間隔をおいて複数に分割（この例では均等に分断）されている。これにより、防臭剤Ｎをフィルタ２０１に鉛直方向Ｖで連続的に且つ幅方向Ｈで所定間隔をおいて所定幅の複数の縦筋状に塗布することができる。
【００５６】
（第１実施形態から第３実施形態の共通の構成）
フィルタ装置２００ａ，２００ｂ，２００ｃにおいて、供給装置２２０には、防臭剤Ｎの種類及び／又は残量を確認するための確認部２２１ｂ，２２３ｂ（図４及び図５参照）が設けられている。こうすることで、確認部２２１ｂ，２２３ｂにより防臭剤Ｎの種類や、防臭剤Ｎの残量を使用者に外側から容易に認識させることができる。
【００５７】
詳しくは、確認部２２１ｂ，２２３ｂは、防臭剤Ｎの種類及び／又は残量を視認するための窓（のぞき窓）（具体的には開口）とされている。確認部２２１ｂ，２２３ｂは、収容ケース２２１，２２３においてフィルタ装置２００ａ，２００ｂ，２００ｃ装着側の側面の全体又は一部に設けられている。確認部２２１ｂ，２２３ｂには、透明板２２１ｃ，２２３ｃが設けられている。例えば、防臭剤Ｎの種類に応じて収容ケース２２１，２２３の色及び／又は透明板２２１ｃ，２２３ｃの透明色を変更することができる。確認部２２１ｂ，２２３ｂは、収容ケース２２１，２２３において防臭剤Ｎの収容領域を含む領域に配設されている。確認部２２１ｂ，２２３ｂは、フィルタ装置本体２０２からフィルタ装置２００ａ，２００ｂ，２００ｃ装着側に突出した位置に設けられている。確認部２２１ｂ，２２３ｂ（透明板２２１ｃ，２２３ｃ）は、外装カバー１０１の外面と面一又は略面一となっている。また、収容ケース２２１，２２３の内壁の確認部２２１ｂ，２２３ｂから視認できる箇所には、防臭剤Ｎの規定量を示す指標２２１ｄ，２２３ｄが設けられている。
【００５８】
（その他の実施の形態）
フィルタ装置２００ａ，２００ｂ，２００ｃは、画像形成装置１００の周囲の環境を保持する環境保持機構を備えるようになっていてもよい。すなわち、フィルタ装置２００ａ，２００ｂ，２００ｃは、フィルタ２０１への液体の含浸機能を利用して防臭剤Ｎに代えて無味無臭の水を供給装置２２０に収容してもよい。こうすることで、画像形成装置１００の設置エリアの乾燥状態を緩和させることができる。そして、かかるフィルタ装置２００ａ，２００ｂ，２００ｃを定期的に動作させることができる。
【００５９】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００６０】
１００    画像形成装置
１０１    外装カバー
１０１ａ  ルーバー
１３０    制御部
１３１    処理部
１３２    記憶部
１４０    操作部
２００    フィルタ装置
２０１    フィルタ
２０２    フィルタ装置本体
２１０    移動装置
２１１    繰り出し部
２１２    巻き取り部
２１３    駆動モータ
２１４    第１巻き掛け部
２１５    第２巻き掛け部
２２０    供給装置
２２１    収容ケース
２２１ｂ  確認部
２２２    供給部
２２３    収容ケース
２２３ｂ  確認部
２２４    供給部
２２５    クリーニングローラ
２３０    調整装置
２３０ａ  接離装置
３００    排出ファン
４００    ダクト
ＡＲ      空気
Ｈ        幅方向
Ｍ        移動方向
Ｎ        防臭剤
Ｐ        用紙
Ｖ        鉛直方向
α        防臭領域
【図１】
2020032560.tif 000003
【図２】
2020032560.tif 000004
【図３】
2020032560.tif 000005
【図４】
2020032560.tif 000006
【図５】
2020032560.tif 000007
【図６】
2020032560.tif 000008
【図７】
2020032560.tif 000009
【図８】
2020032560.tif 000010
【図９】
2020032560.tif 000011
【図１０】
2020032560.tif 000012
【図１１】
2020032560.tif 000013
【図１２】
2020032560.tif 000014
【図１３】
2020032560.tif 000015